(57)【特許請求の範囲】
【請求項１】
複数のラインに沿って電子線を走査し、走査上の観察試料から発生した二次電子に基づいて観察信号を生成させる電子顕微鏡において、
前記ラインの走査の前又は前記ライン同士の走査の間に、前記電子線に標準信号発生用試料を走査させて、発生させた前記二次電子に基づいて標準信号を生成させ、
前記標準信号を周波数空間のスペクトルに変換し、
前記標準信号のスペクトルと、前記標準信号のノイズが無い場合の理想信号のスペクトルとの差分の信号のスペクトルを生成し、
前記差分の信号を減衰させるフィルタを設定し、
前記フィルタを用いて前記観察信号にフィルタ処理を行うことを特徴とする電子顕微鏡。
【請求項２】
前記標準信号発生用試料は、前記理想信号のスペクトルをシミュレーションにより算出可能な凹凸パターンを有していることを特徴とする請求項１に記載の電子顕微鏡。
【請求項３】
前記ラインの走査と、前記標準信号発生用試料における走査とでは、前記電子線を走査した範囲の中心点位置を変更するイメージシフトが行われることを特徴とする請求項１又は請求項２に記載の電子顕微鏡。
【発明の詳細な説明】
【技術分野】
【０００１】
本発明は、複数のラインに沿って電子線を走査させる電子顕微鏡に関する。
【背景技術】
【０００２】
電子顕微鏡では観察された半導体ウェハ等の観察試料の画像が表示される。表示された画像には、ノイズが含まれている。このノイズは、サーマルノイズや、電子顕微鏡の設置環境に依存した、主に電磁波による外部からのノイズである。そこで、電子顕微鏡では、前記画像の画像信号に対して、フレーム積算処理や画素積算処理を行ったり、走査時間を長くして電子線の単位面積当たり照射量を増加させて観察試料から放出される二次電子を増加させ画像信号の信号強度を大きくしたりして、画像（信号）のノイズを減衰させている。
【０００３】
また、パイロット検体（標準信号発生用試料）を複数回走査して、画像信号を取得し、その画像信号から電子顕微鏡の電子光学鏡筒の推定相対特性関数を推定し、この推定相対特性関数を用いて、画像の修正を行う手法が提案されている（例えば、特許文献１参照）。
【特許文献１】特開平６―１５０８６６号公報（段落０００９、段落００１０）
【発明の開示】
【発明が解決しようとする課題】
【０００４】
しかしながら、周辺環境、例えば、温度、設置環境周辺の機器の運転状況等により、ノイズの発生状況が変化する場合があり、このような場合に、従来技術ではノイズ減衰の効果が十分に得られなかった。
【０００５】
そこで、本発明の課題は、ノイズ減衰の改善効果が、外部環境の状況に依存せずに得られる電子顕微鏡を提供することにある。
【課題を解決するための手段】
【０００６】
前記課題を解決した本発明は、複数のラインに沿って電子線を走査し、走査上の観察試料から発生した二次電子に基づいて観察信号を生成させる電子顕微鏡において、前記ラインの走査の直前又は前記ライン同士の走査の間に、前記電子線に標準信号発生用試料を走査させて、発生させた前記二次電子に基づいて標準信号を生成させ、前記標準信号を周波数空間のスペクトルに変換し、前記標準信号のスペクトルと、前記標準信号のノイズが無い場合の理想信号のスペクトルとの差分の信号のスペクトルを生成し、前記差分の信号を減衰させるフィルタを設定し、前記フィルタを用いて前記観察信号にフィルタ処理を行うことを特徴とする。
【発明の効果】
【０００８】
本発明によれば、ノイズ減衰の改善効果が、外部環境の状況に依存せずに得られる電子顕微鏡を提供できる。
【発明を実施するための最良の形態】
【０００９】
次に、本発明の実施形態について、適宜図面を参照しながら詳細に説明する。なお、各図において、共通する部分には同一の符号を付し重複した説明を省略する。また、以下に示す実施形態では、電子顕微鏡として、走査型の電子顕微鏡を例に説明する。ただ、本発明は電子顕微鏡に限られず、走査型の電子線を用いた検査装置や測定装置や露光装置、走査型のイオンビームを用いるイオン打ち込み装置、電子やイオンや帯電したクラスタ等の荷電粒子による走査型の荷電粒子線を用いる加工装置等の荷電粒子線装置に適用できる。
【００１０】
図１に、本発明の実施形態に係る電子顕微鏡２０の構成図を示す。電子顕微鏡２０では、電子線１６が、電子銃１から出射され、収束レンズ２、対物レンズ３の電子光学系によって、試料台１７の上に配置される観察試料４上と標準信号発生用試料５上に細く収束されて照射される。また、電子線１６は、偏向コイル１２に電子線走査制御手段１０からの走査信号を供給することにより偏向され、観察試料４上と標準信号発生用試料５上を走査することができる。なお、観察試料４上の走査と、標準信号発生用試料５上の走査とでは、電子線１６を走査した範囲の中心点位置を変更している。いわゆる、イメージシフトを、観察試料４上の走査と、標準信号発生用試料５上の走査とを互いに移行する際に行っている。
【００１１】
電子線１６が観察試料４上と標準信号発生用試料５上を走査すると、二次電子１４が発生し、この二次電子１４が二次電子検出器６によって検出される。検出された二次電子（検出信号）１４は、ＡＤ変換（器）７によってディジタル信号に変換される。電子線１６が観察試料４上を走査した際に発生した二次電子１４から変換されたディジタル信号が、観察信号であり、電子線１６が標準信号発生用試料５上を走査した際に発生した二次電子１４から変換されたディジタル信号が、標準信号である。観察信号と標準信号とは、フィルタ処理部１５に受信される。観察信号と標準信号とには、それら自体とそれらの発生源となった二次電子１４や電子線１６に対してのってきたノイズが存在している。ノイズは、その発生源に依存して、その周波数（分布）、（スペクトル）強度が、時間によって変化する。しかし、その時間間隔を短くすれば変化は小さく一定とみなせる。観察信号にのったノイズの周波数（分布）や（スペクトル）強度は、その観察信号の前（直前）に生成された標準信号にのったノイズと等しいとみなせる。このことから、フィルタ処理部１５では、標準信号からノイズを特定し、特定したノイズを減衰させるフィルタを設定し、このフィルタで観察信号をフィルタ処理することで、その標準信号の生成の後（直後）に生成した観察信号からノイズを減衰させている。なお、標準信号は観察信号の後（直後）に生成してもよく、この場合、標準信号に基づいてフィルタが設定されるまで、観察信号を記憶しておけばよい。また、標準信号は、観察信号の直前、直後に生成させることが好ましいが、標準信号を生成した時刻と、観察信号を生成した時刻との時間間隔は、減衰させたい対象とするノイズの寿命に応じて適宜設定することができる。
【００１２】
図２に、フィルタ処理部１５のブロック図を示す。フィルタ処理部１５は、信号切換え部１５ａと、逆フィルタ処理部１５ｂと、逆フィルタ設定処理部１５ｃとを有している。また、電子線走査制御手段１０は、偏向コイル１２（図１参照）へ出力する偏向信号に同期して、信号切換え部１５ａと画像処理装置９へ、タイミング信号を出力している。そして、信号切換え部１５ａは、前記タイミング信号に基づいて、観察信号を逆フィルタ処理部１５ｂに送信し、標準信号を逆フィルタ設定処理部１５ｃに送信するような信号の切換えを行っている。
【００１３】
逆フィルタ設定処理部１５ｃは、標準信号を受信し、その標準信号を周波数空間のスペクトルに変換する。ところで、図３（ａ）に示すように、標準信号発生用試料５の表面には、たとえば、電子線１６の走査方向に凹凸が略正弦波カーブのように変化する凹凸パターンが設けられている。このような凹凸パターンであれば、図３（ｂ）に示すような、前記標準信号のノイズが無い場合の理想信号２１の周波数空間のスペクトルをシミュレーションにより算出することができる。逆フィルタ設定処理部１５ｃは、この理想信号２１のスペクトルを記憶している。そして、逆フィルタ設定処理部１５ｃは、標準信号のスペクトルと、理想信号のスペクトルとの差分の信号のスペクトルを生成する。差分の信号は現在発生しているノイズであるので、逆フィルタ設定処理部１５ｃは、前記差分の信号（ノイズ）のスペクトルに基づいて、差分の信号（ノイズ）を減衰させるフィルタを、図２に示す逆フィルタ処理部１５ｂに設定する。逆フィルタ処理部１５ｂは、このフィルタを用いて前記観察信号にフィルタ処理を行う。このフィルタ処理により、観察信号に含まれるノイズを減衰させることができる。ノイズが減衰した観察信号は、画像処理装置９へ送信される。
【００１４】
図１に示す画像処理装置９は、電子線走査制御手段１０からの前記タイミング信号に基づいて、観察信号の受信を行い、さまざまな画像処理を実施したり、観察信号を画像メモリ８へ記憶したりする。画像メモリ８に記憶された観察信号は、画像処理装置９の制御、さらにはコンピュータ１１の制御により、任意のタイミングで読み出され、観察信号のさらなるノイズ低減のために１画素データ単位での積算処理やフレーム単位での積算処理、フーリエ変換・逆変換処理が行われ、これらの処理を経た観察信号が、画像メモリ８に再度記憶されてもよく。画像メモリ８に記憶された観察信号は、コンピュータ１１を経由して、適宜液晶モニタ等の表示装置１３に送信されて、表示装置１３に表示される。
【００１５】
次に、電子顕微鏡２０において、観察信号のノイズを低減する方法について説明する。図４に、観察信号のノイズを低減するノイズ低減方法のフローチャートを示す。このフローチャートの動作主体は電子線走査制御手段１０である。
【００１６】
まず、ステップＳ１に先立って、コンピュータ１１が、画質改善モードか通常画質モードかの選択依頼の表示を、ＧＵＩにより表示装置１３に行う。ユーザはこの表示をみてキーボード、マウス等の入力機器を用いてＧＵＩにより選択を行い、コンピュータ１１は選択結果の入力を受信する。コンピュータ１１は、この入力に基づいて、電子顕微鏡２０に設定されるモードが画質改善モードか否かの判定を行う。画質改善モードが設定されれば、フィルタ処理部１５が機能するが、画質改善モードが設定されなければ、フィルタ処理部１５は機能せず、フィルタ処理部１５に入力する観察信号は、ノイズを減衰させることなく、そのまま出力されることになる。
【００１７】
次に、コンピュータ１１は、観察開始か否かの選択依頼の表示を、表示装置１３に行う。ユーザはこの表示をみてＧＵＩにより選択を行い、コンピュータ１１は選択結果の入力を受信する。コンピュータ１１は、この入力に基づいて、観察開始か否かの判定を行う。観察開始と判定すると、コンピュータ１１は、観察開始信号を電子線走査制御手段１０に送信し、ステップＳ１として、電子線走査制御手段１０は観察開始信号を受信する。観察開始と判定しない場合は、コンピュータ１１は、観察開始信号を電子線走査制御手段１０に送信せず、観察開始と判定されるまで待機することになる。
【００１８】
ステップＳ２で、電子線走査制御手段１０は、コンピュータ１１から、観察終了信号を受信したか否か判定する。観察終了信号を受信した場合は（ステップＳ２、Ｙｅｓ）、ノイズ低減方法をストップし、観察終了信号を受信していない場合は（ステップＳ２、Ｎｏ）、ステップＳ３に進む。
【００１９】
ステップＳ３で、電子線走査制御手段１０は、ライン数Ｎに１を設定する。
【００２０】
ステップＳ４で、電子線走査制御手段１０は、イメージシフトに対応する走査信号を偏向コイル１２に供給し、イメージシフトを実行する。イメージシフトでは、電子線１６を走査させる範囲の中心点位置を、標準信号発生用試料５上を走査する際の走査範囲の中心点位置に設定する。なお、イメージシフトの最中に、電子線１６が観察試料４等に照射されないように、電子線１６はブランクされて出射しない。
【００２１】
ステップＳ５で、電子線走査制御手段１０は、標準信号発生用試料５の走査前に、例えば、ステップＳ４のイメージシフトの実行と並行のタイミングで、すなわちイメージシフトのスタートや途中や終了のタイミングで、前記タイミング信号を発生させ、信号切換え部１５ａへ送信する。信号切換え部１５ａは、前記タイミング信号を受信したタイミングで、接続を逆フィルタ設定処理部１５ｃへ切換える。つまり、電子線走査制御手段１０は、ステップＳ４に並行のタイミングで逆フィルタ設定処理部１５ｃへの切換えを行う（ステップＳ５）。このことにより、ノイズ低減方法の処理時間を短縮することができる。
【００２２】
ステップＳ６で、電子線走査制御手段１０は、標準信号発生用試料５の走査に対応する走査信号を偏向コイル１２に供給し、図５に示すように、標準信号発生用試料５上で、標準信号発生用試料走査２６を実行する。この標準信号発生用試料走査２６により標準信号発生用試料５から二次電子１４が発生し、この二次電子１４は二次電子検出器６によって検出される。検出された二次電子１４は、ＡＤ変換（器）７により、ディジタル信号の標準信号に変換され、標準信号が生成する。また、図６に、フィルタ処理部１５に入力される信号のデータパターンを示すと、イメージシフトのときに発生する信号の後に、標準信号が入力されることになる。
【００２３】
ステップＳ７で、電子線走査制御手段１０は、偏向コイル１２にライン数Ｎの帰線に対応する走査信号を供給し、図５に示す帰線２４を実行する。なお、帰線２４に際して、イメージシフトを実行する。イメージシフトでは、電子線１６を走査させる範囲の中心点位置を、観察試料４上を走査する際の走査範囲の中心点位置に設定する。また、図６のフィルタ処理部１５に入力される信号のデータパターンでは、標準信号の後に、帰線のときに発生する信号が入力されることになる。そして、この帰線のタイミングで、後記する信号切換え部１５ａでの切換えと、後記する逆フィルタの設定が行われる。なお、帰線の最中に、電子線１６が観察試料４等に照射されないように、電子線１６はブランクされて出射しないようになっている。
【００２４】
ステップＳ８で、逆フィルタ設定処理部１５ｃは、前記帰線２４の実行時に、受信した標準信号を周波数空間のスペクトルへデータ変換し、例えば、図７（ａ）に示すような標準信号２８、２９ａ〜２９ｄのスペクトルを生成する。なお、このデータ変換では、リアルタイム性が求められ、迅速にデータ変換を行うため、ＦＦＴ（高速フーリエ変換）を用いるのが望ましい。また、ステップＳ８は、標準信号の逆フィルタ設定処理部１５ｃへの入力が終了することで終わる。
【００２５】
ステップＳ９で、逆フィルタ設定処理部１５ｃは、前記帰線２４の実行時に、標準信号２８、２９ａ〜２９ｄのスペクトルと、図７（ｂ）（図３（ｂ））に示す前記理想信号２１のスペクトルとを比較し、標準信号２８、２９ａ〜２９ｄと理想信号２１の信号強度の差分から、差分信号のスペクトルを生成する。差分信号のスペクトルは、図７（ｃ）に示すような、ノイズである標準信号２９ａ〜２９ｄで構成され、理想信号２１が省かれている。
【００２６】
なお、この比較は、非周期離散時間信号をx[n]とする下記の式１で行われる。
【数１】
0005086908.tif 000002
ここで、各周波数の振幅成分（信号強度）X（ejω）は下記の式２で表される。各周波数の振幅成分X（ejω）について、ノイズが無い状態で取得される理想信号２１と、実際に走査した場合における標準信号とで大小が比較される。そして、両者の振幅成分が一致しない周波数上の信号をノイズと見なすことで、ノイズ（差分信号）のスペクトルを生成することができる。
【数２】
0005086908.tif 000003
【００２７】
ステップＳ１０で、電子線走査制御手段１０は、逆フィルタ設定処理部１５ｃを介して、前記帰線２４の実行時に、差分信号（ノイズ）が減衰されるような、単独、あるいは複数フィルタのフィルタ定数を決定する。
【００２８】
ステップＳ１１で、逆フィルタ設定処理部１５ｃは、フィルタ定数を、逆フィルタ処理部１５ｂに設定することで、例えば、ローパスフィルタ(LPF)、ハイパスフィルタ(HPF)、バンドパスフィルタ(BPF)、バンドエリミネーションフィルタ(BEF)、さらにはこれらを組合せたフィルタを設定することが可能である。具体的には、図７（ｃ）に示すように、ノイズである標準信号２９ａ〜２９ｄそれぞれに対応させてマスクするように、いわゆる逆フィルタ３０ａ〜３０ｄを、逆フィルタ処理部１５ｂに設定する。
【００２９】
ステップＳ１２で、電子線走査制御手段１０は、観察試料４の走査前に、例えば、ステップＳ７の帰線の実行と並行のタイミングで、すなわち帰線のスタートや途中や終了のタイミングで、前記タイミング信号を発生させ、信号切換え部１５ａへ送信する。信号切換え部１５ａは、前記タイミング信号を受信したタイミングで、接続を逆フィルタ処理部１５ｂへ切換える。ステップＳ１２は、ステップＳ７と並列、かつ、ステップＳ８〜Ｓ１１と並列に行われ、このことにより、ノイズ低減方法の処理時間を短縮することができる。
【００３０】
ステップＳ１３で、電子線走査制御手段１０は、ライン数Ｎの観察試料４上の走査に対応する走査信号を偏向コイル１２に供給し、図５に示すように、観察試料４上で、観察試料走査２２を実行する。この観察試料走査２２により観察試料４から二次電子１４が発生し、この二次電子１４は二次電子検出器６によって検出される。検出された二次電子１４は、ＡＤ変換（器）７により、ディジタル信号の観察信号に変換され、観察信号が生成する。観察信号は、例えば、図７（ｄ）に示すようなノイズに起因していない観察信号３１ａ〜３１ｃと、ノイズに起因する観察信号３２ａ〜３２ｃとから構成されている。なお、観察信号３１ｃには、ノイズに起因する観察信号とノイズに起因しない観察信号とが重なっている例を示している。また、図６のフィルタ処理部１５に入力される信号のデータパターンでは、帰線のときに発生する信号の後に、観察信号が入力されることになる。そして、この観察信号に対して、次のステップＳ１４で、逆フィルタ処理が行われる。
【００３１】
ステップＳ１４で、逆フィルタ処理部１５ｂは、観察信号に対して、逆フィルタ処理を行う。逆フィルタ処理では、一般的なディジタルフィルタと同じく、畳み込み積分を用いる。具体的な計算式は、逆フィルタの出力信号（ノイズ減衰後の観察信号）をg(t)として次のように表される。
g(t)=∫h(τ) t(t+τ)dτ
ここで、h(t)（=∫H(ω)exp(jωt)dω）はインパルス応答であり、H(ω)は逆フィルタの伝達関数である。
【００３２】
図７（ｄ）に示すノイズに起因する観察信号３２ａ〜３２ｃと観察信号３１ｃの一部は、図７（ａ）に示すノイズに起因する標準信号２９ａ〜２９ｄと、発生している周波数と信号強度が一致している。このため、図７（ｅ）に示すように、図７（ｃ）で設定した逆フィルタ３０ａ〜３０ｄにより、ノイズに起因する観察信号３２ａ〜３２ｃと観察信号３１ｃの一部を、信号強度で標準信号２９ａ〜２９ｄの信号強度の分だけ減衰させることができる。そして、観察信号として、ノイズに起因しない観察信号３１ａ〜３１ｃを得ることができる。逆フィルタ処理部１５ｂは、逆フィルタ処理された観察信号３１ａ〜３１ｃを画像処理装置９に送信する。観察信号３１ａ〜３１ｃにはノイズが含まれないので、観察信号３１ａ〜３１ｃに基づいて画像処理装置９で作製される画像の画質は改善される。そして、本実施形態によれば、ノイズが周囲の環境変化（例えば、温度、設置環境周辺の機器の運転状況等）に対応し変化しても、リアルタイム（ライン毎、フレーム毎等）にそのノイズを抽出し、逆フィルタにて補償することで、リアルタイムに、観察信号上のノイズを低減し、画像の画質を改善することができる。
【００３３】
ステップＳ１５で、電子線走査制御手段１０は、ライン数Ｎが所定の最大ライン数に達したか否か判定する。この判定で、ラインがフレームの最終ラインに達したか否か判定することができる。ライン数Ｎが所定の最大ライン数に達していれば（ステップＳ１５、Ｙｅｓ）、ラインがフレームの最終ラインに達しているので、ステップＳ２に戻り、ライン数Ｎが所定の最大ライン数に達していなければ（ステップＳ１５、Ｎｏ）、ラインがフレームの最終ラインに達していないので、ステップＳ１６に進む。
【００３４】
ステップＳ１６で、電子線走査制御手段１０は、ライン数Ｎに１を加算し、ステップＳ４とステップＳ５に戻る。ステップＳ４とステップＳ５に戻った場合は、図５に示すように、ステップＳ４でイメージシフト２７が実行され、ステップＳ６で標準信号発生用試料走査２６が再度実行され、ステップＳ７で帰線２５が実行され、ステップＳ１３で観察試料走査２３が実行される。こうして、観察試料走査２２、２３のいわゆるラインは、最終ラインに達する。これで、１フレームが終了したことになる。１フレーム分の観察信号で、観察試料４を観察した１画像を形成することができる。そして、最終ラインに達した場合は、再度、１フレーム分の観察信号を取得するために、ライン数が１のラインから観察信号を取得する。
【００３５】
なお、本実施形態では、１ラインを走査する毎に、標準信号発生用試料５を走査し標準信号および逆フィルタを生成している。この逆フィルタの生成が帰線２４、２５の期間に終了すれば、１フレームで形成される画像の作製に要する時間は従来に比べて長くなることはない。逆に、逆フィルタの生成が帰線２４、２５の期間に終了しない場合は、複数ラインを走査する毎に、さらには、１フレーム毎、複数フレーム毎に、１つの逆フィルタを生成すれば、帰線２４、２５の期間だけでなく、観察試料走査２３の期間も、逆フィルタの生成に当てることができるので、１フレームで形成される画像の作製に要する時間は従来に比べて長くなることはない。この場合は、複数ライン前、複数フレーム前に発生していたノイズが、次に走査するラインでも発生しているとみなしている。すなわち、ノイズの寿命も、ノイズの発生源に応じてさまざまであり、ノイズの寿命よりも短い時間間隔で逆フィルタが生成できれば、観察信号におけるそのノイズの減衰が可能である。逆にノイズの寿命に基づいて、ラインいくつ毎に逆フィルタを生成したり、フレームいくつ毎に逆フィルタを生成したりするのか、ユーザや設計者がそのライン数やフレーム数を設定してもよい。
【００３６】
本実施形態においては、標準信号発生用試料５は、観察試料４が載せられる試料台に別個の試料として同時に載せられているが、これに限らず、例えば、観察試料４上に予め、標準信号発生用試料５が設けられていてもよい。さらに具体的に、標準信号発生用試料５として機能するパターンを備えた半導体ウェハであってもよい。
【図面の簡単な説明】
【００３７】
【図１】本発明の実施形態に係る電子顕微鏡の構成図である。
【図２】フィルタ処理部のブロック図である。
【図３】（ａ）は標準信号発生用試料の斜視図であり、（ｂ）は電子線で標準信号発生用試料上を走査して発生する二次電子に基づいて生成される標準信号に対するノイズを含まない理想信号の周波数空間のスペクトルである。
【図４】観察信号のノイズを低減するノイズ低減方法のフローチャートである。
【図５】試料台上に配置された観察試料と標準信号発生用試料の斜視図であり、偏向コイルによる電子線の走査の経路を示している。
【図６】フィルタ処理部に入力される信号のデータパターンの一例である。
【図７】（ａ）は電子線で標準信号発生用試料上を走査して発生する二次電子に基づいて生成される標準信号の周波数空間のスペクトルであり、（ｂ）は前記標準信号に対するノイズを含まない理想信号の周波数空間のスペクトルであり、（ｃ）は前記標準信号から前記理想信号を差し引いた差分信号（ノイズ）と前記差分信号毎に設けられたフィルタの周波数空間のスペクトルであり、（ｄ）は電子線で観察試料上を走査して発生する二次電子に基づいて生成される観察信号の周波数空間のスペクトルであり、（ｅ）はフィルタによってノイズを減衰させた前記観察信号の周波数空間のスペクトルである。
【符号の説明】
【００３８】
１      電子銃
２      収束レンズ
３      対物レンズ
４      観察試料
５      標準信号発生用試料
６      二次電子検出器
７      ＡＤ変換器
８      画像メモリ
９      画像処理装置
１０    電子線走査制御手段
１１    コンピュータ
１２    偏向コイル  
１３    表示装置
１４    二次電子
１５    フィルタ処理部
１５ａ  信号切換え部
１５ｂ  逆フィルタ処理部
１５ｃ  逆フィルタ設定処理部
１６    電子線
１７    試料台
２０    電子顕微鏡
２１    理想信号
２２、２３  観察試料走査（ライン）
２４、２５  帰線
２６    標準信号発生用試料走査
２７    イメージシフト
２８    標準信号
２９ａ、２９ｂ、２９ｃ、２９ｄ  標準信号（ノイズ）
３０ａ、３０ｂ、３０ｃ、３０ｄ  逆フィルタ（マスク）
３１ａ、３１ｂ、３１ｃ  観察信号
３２ａ、３２ｂ、３２ｃ  観察信号（ノイズ）
【図１】
0005086908.tif 000004
【図２】
0005086908.tif 000005
【図３】
0005086908.tif 000006
【図４】
0005086908.tif 000007
【図５】
0005086908.tif 000008
【図６】
0005086908.tif 000009
【図７】
0005086908.tif 000010